(57)【要約】      （修正有）【課題】ディスプレイフレームの接続角度が調整でき、迅速且つ便利に利用できるようにするロック構造を提供する。【解決手段】対向配置された第１ロック本体１及び第２ロック本体２を備える。第１ロック本体は、第１基台１１と、第１基台に回転可能に接続された第１本体とを含み、第１本体は、対向する２つの端部を含み、その一方の端部に第１傾斜端面１４が設けられ、他方の端部に少なくとも１本の凹部１５が設けられている。第２ロック本体は、第２基台２１と、第２基台に回転可能に接続された第２本体と、第２基台にヒンジ接続された取っ手２４と、シャフト２６を介して取っ手と連結された張架ロック具２５とを含む。第２本体は、端部を有し、その端部に第１傾斜端面と対応する第２傾斜端面２３が設けられており、張架ロック具の一端は、凹部内に位置制限され、取っ手が回ることで、第１傾斜端面と第２傾斜端面とが当接するまで、張架ロック具は第１ロック本体を駆動する。【選択図】図１
0003193400.tif 000002
【実用新案登録請求の範囲】
【請求項１】
対向するように配置された第１ロック本体及び第２ロック本体を備えるロック構造であり、
前記第１ロック本体は、第１基台と、第１基台に回転可能に接続された第１本体とを含み、前記第１本体は、対向する２つの端部を含み、その中の一方の端部に第１傾斜端面が設けられ、他方の端部に少なくとも１本の凹部が設けられており、
前記第２ロック本体は、第２基台と、第２基台に回転可能に接続された第２本体と、第２基台にヒンジ接続された取っ手と、シャフトを介して前記取っ手と連結された張架ロック具とを含み、前記第２本体は端部を有し、その端部に第１傾斜端面と対応する第２傾斜端面が設けられており、
前記張架ロック具の一端が前記凹部内に位置制限され、前記取っ手が前記シャフトを支点として回ることで、前記第１傾斜端面と前記第２傾斜端面とが当接するまで、前記張架ロック具が、前記第２ロック本体の方向へ変位するように前記第１ロック本体を駆動することを特徴とするロック構造。
【請求項２】
前記第１本体は、回転可能に接続された第１回転端子及び第１当接端子を含み、前記第１回転端子の外壁面に前記凹部が設けられ、前記第１当接端子に前記第１傾斜端面が設けられていることを特徴とする請求項１に記載のロック構造。
【請求項３】
前記第２本体は、前記第１当接端子に対応する第２当接端子を含み、前記第２当接端子に第２傾斜端面が設けられていることを特徴とする請求項２に記載のロック構造。
【請求項４】
前記第１回転端子の外表面に２本の凹部が設けられ、その中の１本が第１回転端子の中央に設けられ、もう１本が第１回転端子の縁部に設けられていることを特徴とする請求項１に記載のロック構造。
【請求項５】
前記２本の凹部は互いに直交していることを特徴とする請求項４に記載のロック構造。
【請求項６】
前記張架ロック具は、Ｕ字形ロック片を含み、前記Ｕ字形ロック片の開口端にねじ山が設けられ、前記シャフトの両端には貫通孔が設けられ、前記Ｕ字形ロック片はナットによって貫通孔に接続されていることを特徴とする請求項１に記載のロック構造。
【請求項７】
前記取っ手に位置回復防止機構が設けられていることを特徴とする請求項１〜６のいずれか１項に記載のロック構造。
【請求項８】
前記位置回復防止機構は、コイルばねを含み、前記コイルばねの一端が前記取っ手に圧接し、他端が前記第２基台に圧接することを特徴とする請求項７に記載のロック構造。
【請求項９】
前記位置回復防止機構は、接続片を含み、前記接続片は、弧形のベース部と、前記弧形のベース部の一方の端部に設けられた凸ブロックと、前記弧形のベース部に設けられた収容溝と、前記コイルばねとを含み、前記コイルばねは、ピン軸によって前記収容溝内に接続され、前記第２基台に位置制限溝が設けられ、前記取っ手にスライド溝が設けられており、
前記弧形のベース部は、前記ピン軸によって前記第２基台に接続されると共に、他方の端部が前記位置制限溝に当接し、前記一方の端部に設けられた前記凸ブロックが前記スライド溝内に摺動可能に配置され、前記コイルばねの一端が前記弧形の接続片に圧接し、他端が第２基台に圧接することを特徴とする請求項８に記載のロック構造。
【請求項１０】
前記シャフトに溝部が設けられ、前記コイルばねの他端が前記溝部内に当接していることを特徴とする請求項９に記載のロック構造。
【考案の詳細な説明】
【技術分野】
【０００１】
本考案は、補助接続装置に関し、特にロック構造に関する。
【背景技術】
【０００２】
ＬＥＤディスプレイフレーム同士は、通常は、ロック構造によってフレームとフレームとが接続される。しかし、例えばＬＥＤディスプレイフレームを環状、Ｕ字形等のように接続する場合、ＬＥＤディスプレイの取り付け時において、場所または視覚的効果を考慮した上、一般的に、突き合わせ接続されるＬＥＤディスプレイフレームについて、位置をずらすこと、または、所定の夾角関係を満たすようにすることが必要である。ところが、従来のロック構造は、通常、単一方向（単一角度）で接続させることができるに過ぎない。そのため、接続角度が異なれば、異なるロック構造を選択して接続することが必要である。しかし、従来のロック構造は、複数角度または角度変更のニーズを満足させることができない。また、一時的な利用のために組み付けたＬＥＤディスプレイフレームを、利用完了後、ＬＥＤディスプレイフレームを分解する必要もある。フレーム上のロック構造はそれぞれが異なるニーズによってデザインされたものであるため、分解後に当該ロック構造が使えなくなる可能性がある。これは、資源の浪費となる。
【考案の概要】
【考案が解決しようとする課題】
【０００３】
本考案が解决しようとする主な技術的課題は、ディスプレイフレームの接続角度を効果的に調整できるロック構造を提供することである。
【課題を解決するための手段】
【０００４】
前記技術的課題を解決するために、本考案による技術的手段は、下記ロック構造を提供する。すなわち、対向するように配置された第１ロック本体及び第２ロック本体を備えるロック構造であり、
前記第１ロック本体は、第１基台と、第１基台に回転可能に接続された第１本体とを含み、前記第１本体は、対向する２つの端部を含み、その中の一方の端部に第１傾斜端面が設けられ、他方の端部に少なくとも１本の凹部が設けられており、
前記第２ロック本体は、第２基台と、第２基台に回転可能に接続された第２本体と、第２基台にヒンジ接続された取っ手と、シャフトを介して取っ手と連結された張架ロック具とを含み、前記第２本体は端部を有し、その端部に第１傾斜端面と対応する第２傾斜端面が設けられており、
前記張架ロック具の一端は、前記凹部内に位置制限され、前記取っ手がシャフトを支点として回ることで、第１傾斜端面と第２傾斜端面とが当接するまで、前記張架ロック具は、第２ロック本体の方向へ変位するように第１ロック本体を駆動する。
【考案の効果】
【０００５】
本考案の有益な効果は以下のとおりである。従来の技術と異なり、本考案において、２つのディスプレイフレームに第１ロック本体及第２ロック本体が対応して配置される。第１本体と第２本体が対応して配置されると共に、それぞれが第１基台及第２基台に対して回転可能である。接続しようとするとき、まず第１本体及び第２本体を回転させて第１傾斜端面と第２傾斜端面とが異なる角度を持つようにしてから、張架ロック具を凹部内に位置させ且つハンドル（取っ手）を引き動かして回転させる。このとき、第１ロック本体は第２ロック本体の方向へ変位してロック固定の目的を達成する。本考案によると、違う角度ニーズに対して、第１本体及び第２本体を回転させることによって効果的に第１傾斜端面と第２傾斜端面との当接角度を調整でき、さらに２つのフレームのロック固定角度を変更できるようになり、迅速かつ便利に利用できる。
【図面の簡単な説明】
【０００６】
【図１】本考案の好ましい実施例の構成分解図である。
【図２】本考案の好ましい実施例の内弧形状接続状態の構成概略図である。
【図３】本考案の好ましい実施例の外弧形状接続状態の構成概略図である。
【図４】本考案の好ましい実施例の直線形状接続状態の構成概略図である。
【考案を実施するための形態】
【０００７】
本考案の技術的内容、構造的な特徴、実現しようとする目的及び効果を詳しく説明するため、以下に実施形態及び図面を参照しながら詳しく説明する。
【０００８】
従来の技術と異なり、第１基台と第２基台にそれぞれ第１本体及び第２本体が回転可能に接続され、第１本体及び第２本体の端部には、互いに対向（対応）する第１傾斜端面及び第２傾斜端面が設けられている。回転によって第１本体及び第２本体は第１傾斜端面と第２傾斜端面との当接角度を変更することで、ロック固定角度を制御する。本考案によって接続角度を調整でき、迅速かつ便利に利用できる。
【０００９】
図１に示されるロック構造は、対向するように配置された第１ロック本体１及び第２ロック本体２を備える。第１ロック本体１は、第１基台１１と、第１基台１１に回転可能に接続された第１本体とを含む。第１本体は、対向する２つの端部を含む。その一方の端部には第１傾斜端面１４が設けられ、他方の端部には少なくとも１本の凹部１５が設けられている。
第２ロック本体２は、第２基台２１と、第２基台２１に回転可能に接続された第２本体と、第２基台２１にヒンジ接続された取っ手２４と、シャフト２６を介して取っ手２４と連結された張架ロック具２５とを含み、第２本体は、端部を有し、その端部に第１傾斜端面１４と対応する第２傾斜端面２３が設けられている。
張架ロック具２５の一端は、凹部１５と係合して凹部１５内に位置制限される。取っ手２４が第２基台２１に対して回転することで、張架ロック具２５で駆動された第１ロック本体１が第２ロック本体２の方向へ変位し、第１傾斜端面１４と第２傾斜端面２３とが当接すると、第１ロック本体１と第２ロック本体２とがロック固定される。
【００１０】
本実施例において、第１傾斜端面１４と第２傾斜端面２３は、平らでまっすぐな斜面である。もちろん、その他の実施例において、第１傾斜端面１４と第２傾斜端面２３はわずかな凹みまたは凸部がある斜面であってもよい。
【００１１】
本構成において、２つのディスプレイフレームに第１ロック本体１及び第２ロック本体２が対応するように配置される。そして、第１本体と第２本体は、互いに対応するように配置され、かつそれぞれが第１基台１１及び第２基台２１に対して回転することができる。接続しようとするとき、まず第１本体及び第２本体を回転させて第１傾斜端面１４と第２傾斜端面２３とが異なる角度を持つようにしてから、張架ロック具２５を凹部１５内に位置制限させ且つハンドル（取っ手２４）を引き動かして回転させる。このとき、第１ロック本体１が第２ロック本体２の方向へ変位してロック固定の目的を達成する。本考案は、違う角度ニーズに対して、第１本体及び第２本体を回転させることによって効果的に第１傾斜端面１４と第２傾斜端面２３との当接角度を調整でき、さらに２つのフレームのロック固定角度を変更できるようになり、迅速かつ便利に利用できる。
【００１２】
本実施例において、第１本体は、回転可能に接続された第１回転端子１２及び第１当接端子１３を含む。第１回転端子１２の外壁面には凹部１５が設けられ、第１当接端子１３には第１傾斜端面１４が設けられている。第１回転端子１２と第１当接端子１３が第１基台１１に回転可能に接続され、第１回転端子１２の回転によって凹部１５の位置を調整でき、かつ第１当接端子１３の回転によって第１傾斜端面１４の向きを調整できる。これによって、第２傾斜端面２３及び張架ロック具２５との協働がより良好になる。
【００１３】
第１当接端子１３に関して、より良好な第１当接端子１３との協働を実現させるため、第２本体は、第１当接端子１３に対応する第２当接端子２２を含み、第２当接端子２２には第２傾斜端面２３が設けられている。図２も参照し、第１当接端子１３と第２当接端子２２を回転させることで、２つの当接端子の傾斜端面が異なる方向を向くことになり、図２に示されるように、内弧形状（下向きに膨らんだ湾曲形状）となったり、さらに回転させることによって図３に示される外弧形状（上向きに膨らんだ湾曲形状）となる。もちろん、適切な角度に回転されると、図４に示される直線形状となる。
【００１４】
第１回転端子１２の外表面には２つの凹部１５が設けられている。２つの凹部１５の中の１つが第１回転端子１２の中央に設けられ、もう１つが第１回転端子１２の縁部に設けられている。第１回転端子１２を回転させて凹部１５を違う位置とすることで、効果的に張架ロック具２５との係合関係を変更でき、異なる角度に対して、異なる凹部１５を選択することで、効果的にロック固定構成の全体強度を確保することができる。
【００１５】
図１に示されるように、２本の凹部１５は互いに直交していることが好ましい。当然、他の実施例において、ロック固定に協働することで強度増大の効果が達成できれば、複数の凹部１５が別の形態で分布してもよい。
【００１６】
本実施例において、張架ロック具２５は、Ｕ字形ロック片を含む。このＵ字形ロック片の開口端にはねじ山が設けられている。シャフト２６の両端には貫通孔が設けられており、Ｕ字形ロック片の開口端が貫通孔に挿入接続される。図２、図３及び図４に示されるように、Ｕ字形ロック片の開口端にねじ山が設けられていると共に、シャフト２６の貫通孔に挿入されたＵ字形ロック片がナットによってシャフト２６に接続され、ねじ山及びナットの協働によってＵ字形ロック片の長さに対する要求を満足でき、ロック固定の条件を満たすことができる。
【００１７】
さらに、取っ手２４に位置回復防止機構３が配置されているため、第１ロック本体１と第２ロック本体２が相対的にロック固定された後に、取っ手２４が元の位置に戻ることを防止することができる。
【００１８】
位置回復防止機構３は、コイルばね３１を含むことが好ましい。コイルばね３１の一端が取っ手２４に圧接し、他端が第２基台２１に圧接する。したがって、コイルばね３１によって取っ手２４の回復力に抗することができて、取っ手２４が元の位置に戻ることによるロック固定後の緩みを効果的に回避できる。
【００１９】
本実施例において、位置回復防止機構３は、接続片３２を含む。接続片３２は、弧形のベース部と、弧形のベース部の一方の端部に設けられた凸ブロック３３と、弧形のベース部に設けられた収容溝と、コイルばね３１とを含む。コイルばね３１は、ピン軸３４によって収容溝内に接続され、第２基台２１には位置制限溝２７が設けられ、取っ手２４にスライド溝２８が設けられている。
弧形のベース部は、ピン軸３４によって第２基台２１に接続されていると共に、他方の端部が位置制限溝２７に当接し、一方の端部に設けられた凸ブロック３３がスライド溝２８内に摺動可能に配置され、コイルばね３１の一端が弧形の接続片３２に圧接し、他端が第２基台２１に圧接している。
【００２０】
コイルばね３１の取付けを便利にするため、且つ効果的に弾性力を得るために、シャフト２６には溝部２９が設けられている。コイルばね３１の他端は、溝部２９に圧接している。
【００２１】
以上、２つのフレームに第１ロック本体１及び第２ロック本体２が対応して配置され、第１本体と第２本体が対応していると共に、それぞれが第１基台１１及び第２基台２１に対して回転可能となっている。接続作業を行う際、まず第１本体及び第２本体を回転させて第１ロック本体１と第２ロック本体２とが異なる方向を向いた対向面を持つようにしてから、張架ロック具２５を凹部１５内に位置させ且つハンドル（取っ手２４）を引き動かして回転させる。このとき、第１ロック本体１が第２ロック本体２に向かって変位することで、ロック固定の目的が達成される。このように第１本体及び第２本体を回転させることによって第１ロック本体１と第２ロック本体２とを違う角度とすることができて、効果的に２つのフレームのロック固定角度を調整でき、迅速且つ便利である。さらに、複数の凹部１５を互いに異なる位置に設けることで、所定角度でのロック固定強度を効果的に確保できる。加えて、位置回復防止機構３を設けることによって、ロック固定後に取っ手２４が元の位置に戻ることによる緩みを効果的に回避できる。
【００２２】
以上の記載は本考案の実施例に過ぎなく、本考案の保護範囲を限定するものではない。本考案の明細書及び図面内容から作った同等効果を有する構成又は同等効果を有するフローの変更、または直接若しくは間接にその他の関連技術領域に応用されることは、本考案の保護範囲に含まれると理解されるべきであろう。
【符号の説明】
【００２３】
１：第１ロック本体
１１：第１基台
１２：第１回転端子
１３：第１当接端子
１４：第１傾斜端面
１５：凹部
２：第２ロック本体
２１：第２基台
２２：第２当接端子
２３：第２傾斜端面
２４：取っ手
２５：張架ロック具
２６：シャフト
２７：位置制限溝
２８：スライド溝
２９：溝部
３：位置回復防止機構
３１：コイルばね
３２：接続片
３３：凸ブロック
３４：ピン軸
【図１】
0003193400.tif 000003
【図２】
0003193400.tif 000004
【図３】
0003193400.tif 000005
【図４】
0003193400.tif 000006